(57)【要約】【課題】下階から見た場合の優れた意匠性を確保することができるとともに、水平剛性の確保が可能である床構造及び木造建築物を提供する。【解決手段】床構造１は、一対の縦床梁１０、一対の横床梁１１、複数の面材１２、及び板材１３、を備える。複数の面材１２は、縦床梁１０及び横床梁１１の上に配設され、Ｙ方向に並設されている。そして、複数の面材１２は、一対の縦床梁１０及び一対の横床梁１１で区画される領域をＺ方向上側から覆設するように配設されている。板材１３は、Ｘ方向に延び、Ｙ方向に隣接する２枚の面材１２の両縁部近傍を上方から覆設する状態で、一対の横床梁１１間に架設されている。複数の面材のそれぞれは、縦床梁１０及び板材１３の少なくとも一方と横床梁１１とに対して、Ｚ方向からの平面視で該部材と重なる部分において、ビス又は釘を以って固定されている。【選択図】図２
2019011606.tif 000002
【特許請求の範囲】
【請求項１】
上階と下階とを有する木造建築物の床構造において、
それぞれが第１方向に延び、当該第１方向と直交する方向に互いに間隔を空けて並設された一対の第１床梁と、
それぞれが前記第１方向と交差する第２方向に延び、当該第２方向と直交する方向に互いに間隔を空けて並設された一対の第２床梁と、
前記一対の第１床梁及び前記一対の第２床梁で区画される領域を上方から覆設するように互いに隣接して並設された複数の面材と、
前記複数の面材の内、互いに隣接する２枚の前記面材の両縁部近傍を上方から覆設して固定される板材と、
を備え、
前記複数の面材のそれぞれは、前記第１床梁及び前記板材の少なくとも一方と前記第２床梁とに対して、平面視で該部材と重なる部分で固定されている、
床構造。
【請求項２】
請求項１に記載の床構造であって、
前記面材を挟み、前記第１床梁又は前記第２床梁の一方の床梁の上に配設され、前記上階からの荷重を支持する複数の第１支持部材、を更に備え、
上方からの平面視において、前記複数の第１支持部材のそれぞれは、前記一方の床梁と重なっている、
床構造。
【請求項３】
請求項１又は請求項２に記載の床構造であって、
前記面材を挟み、前記第１床梁又は前記第２床梁の一方の床梁の上に配設され、前記上階からの荷重を支持する複数の第１支持部材、を更に備え、
前記複数の第１支持部材のそれぞれは、前記複数の面材の上における前記板材により覆われた領域以外の領域に配設されている、
床構造。
【請求項４】
請求項２又は請求項３に記載の床構造であって、
前記板材は、前記隣接する２枚の前記面材よりも薄い、
床構造。
【請求項５】
請求項２から請求項４の何れかに記載の床構造であって、
前記複数の第１支持部材のそれぞれと前記面材との間に設けられた弾性部材、を更に備える、
床構造。
【請求項６】
請求項２から請求項５の何れかに記載の床構造であって、
前記複数の第１支持部材の上に架設され、それぞれが当該第１支持部材と交差する方向に延びる複数の第２支持部材と、
前記第２支持部材の上に配設された複数の下地板、を更に備える、
床構造。
【請求項７】
請求項６に記載の床構造であって、
前記複数の第１支持部材の少なくとも一部と、当該少なくとも一部の第１支持部材に対応する前記第２支持部材と、の間に設けられたスペーサ、を更に備える、
床構造。
【請求項８】
請求項６又は請求項７に記載の床構造であって、
前記板材と前記下地板との間には、空間が空いている、
床構造。
【請求項９】
請求項１から請求項８の何れかに記載の床構造であって、
前記複数の面材の下面は、前記下階の天井面として下方に露出している、
床構造。
【請求項１０】
上階と下階とを有する木造建築物において、
前記上階の床構造として、請求項１から請求項９の何れかの床構造が採用されている、
木造建築物。
【発明の詳細な説明】
【技術分野】
【０００１】
本発明は、床構造及び木造建築物に関する。
【背景技術】
【０００２】
従来から、木造建築物の床構造として、根太工法を用いて形成された床構造が採用されている。
【０００３】
根太工法を用いて形成された床構造は、間隔を空けて対向配置された一対の床梁と、当該一対の床梁間にそれぞれが架け渡され、互いに間隔を空けて配された複数の根太と、複数の根太の上に敷設された構造用の面材と、を有する。
【０００４】
なお、従来技術において、複数の根太は、床構造の強度確保のために、比較的狭いピッチを以って配設される。
【０００５】
ここで、特許文献１には、ユニット化した床パネルを床梁の上に架け渡してなる床構造が開示されている。この床構造で採用されている床パネルは、縦枠材と横枠材とを上下から面材で挟み込んでなる構造を有し、縦枠材及び横枠材が床梁上における根太の役割を担っている。この床構造では、床パネルにおける下側の面材が下階の天井面を構成することとなるため、下側の面材に意匠性に優れた材料を用いることで、下階から見た場合の天井面の意匠性を優れたものとすることは可能である。
【先行技術文献】
【特許文献】
【０００６】
【特許文献１】特開平０７−３１７１９２号公報
【発明の概要】
【発明が解決しようとする課題】
【０００７】
しかしながら、上記特許文献１に開示の技術を含む従来技術では、下階から見た場合の優れた意匠性を確保しながら、床構造における水平剛性を確保することが困難である。
【０００８】
即ち、根太工法を用いて形成された床構造では、上述のように根太を狭ピッチで配設することが必要となるため、そのままの状態では下階から見た場合の意匠性が劣る。このため、根太の下方を覆うように、石膏ボード等を用いて天井を別途形成することが必要となる。
【０００９】
特許文献１に開示された床構造では、各床パネルが床梁には固定されているが、床パネル間相互の連結はなされておらず、床構造における水平剛性を確保することは困難である。
【００１０】
本発明は、上記のような問題の解決を図ろうとなされたものであって、下階から見た場合の優れた意匠性を確保することができるとともに、水平剛性の確保が可能である床構造及び木造建築物を提供することを目的とする。
【課題を解決するための手段】
【００１１】
本発明の一態様に係る床構造は、上階と下階とを有する木造建築物の床構造である。そして、本態様に係る床構造は、一対の第１床梁と、一対の第２床梁と、複数の面材と、板材と、を備える。
【００１２】
前記一対の第１床梁は、それぞれが第１方向に延び、当該第１方向と直交する方向に互いに間隔を空けて並設されている。前記一対の第２床梁は、それぞれが前記第１方向と交差する第２方向に延び、当該第２方向と直交する方向に互いに間隔を空けて並設されている。
【００１３】
前記複数の面材は、前記一対の第１床梁及び前記一対の第２床梁で区画される領域を上方から覆設するように互いに隣接して並設されている。
【００１４】
前記板材は、前記複数の面材の内、互いに隣接する２枚の前記面材の両縁部近傍を上方から覆設して固定されている。
【００１５】
本態様に係る床構造において、前記複数の面材のそれぞれは、前記第１床梁及び前記板材の少なくとも一方と前記第２床梁とに対して、平面視で該部材（前記第１床梁及び前記板材の少なくとも一方と前記第２床梁）に重なる部分で固定されている。
【００１６】
上記態様に係る床構造では、複数の面材のそれぞれが、上記重なる部分で、第１床梁及び板材の一方と第２床梁に固定されているので、複数の面材が床構造における水平方向にかかる荷重を支持できる。よって、上記態様に係る床構造では、水平剛性を確保することが可能である。
【００１７】
また、上記態様に係る床構造では、上述のように、水平剛性を複数の面材により確保することができるので、上記従来技術のように狭ピッチで複数の根太を設ける必要がなく、下階から見た場合の意匠性に優れる。
【００１８】
従って、上記態様に係る床構造では、下階から見た場合の優れた意匠性を確保することができるとともに、高い水平剛性を確保することができる。
【００１９】
本発明の別態様に係る床構造は、上記態様において、複数の第１支持部材を更に備える。前記複数の第１支持部材は、前記面材を挟み、前記第１床梁又は前記第２床梁の一方の床梁の上に配設され、前記上階からの荷重を支持する。そして、本態様に係る床構造では、上方からの平面視において、前記複数の第１支持部材のそれぞれは、前記一方の床梁と重なっている。
【００２０】
上記態様に係る床構造では、平面視で上記一方の床梁と重なる状態で第１支持部材を設けているので、上階からの荷重が第１支持部材を介して剛性の高い床梁に伝達されることとなり、優れた鉛直剛性の確保が可能である。
【００２１】
本発明の別態様に係る床構造は、上記態様において、複数の第１支持部材を更に備える。前記複数の第１支持部材は、前記面材を挟み、前記第１床梁又は前記第２床梁の一方の床梁の上に配設され、前記上階からの荷重を支持する。そして、本態様に係る床構造では、前記複数の第１支持部材のそれぞれは、前記複数の面材の上における前記板材により覆われた領域以外の領域に配設されている。
【００２２】
上記態様に係る床構造では、第１支持部材を板材が配設された領域以外の領域に配設することとしているので、水平と鉛直の各剛性を異なる領域で確保することができ、総合的に優れた剛性確保が可能である。
【００２３】
本発明の別態様に係る床構造は、上記構成において、前記板材は、前記隣接する２枚の前記面材よりも薄い。
【００２４】
上述のように、上記態様に係る床構造では、鉛直剛性と水平剛性とを異なる領域で確保するので、面材よりも薄い板材を用いた場合にあっても、高い水平剛性を確保することが可能である。また、薄い板材を用いることにより、配管や電気配線のための空間をより確保し易い。
【００２５】
本発明の別態様に係る床構造は、上記態様において、弾性部材を更に備える。前記弾性部材は、前記複数の第１支持部材のそれぞれと前記面材との間に設けられている。
【００２６】
上記態様に係る床構造では、複数の第１支持部材と面材との間に弾性部材を設けているので、上階からの振動が弾性部材で減衰され、下階へ振動が伝わるのが抑制される。
【００２７】
本発明の別態様に係る床構造は、上記態様において、複数の第２支持部材と、複数の下地板と、を更に備える。前記複数の第２支持部材は、前記複数の第１支持部材の上に架設され、それぞれが当該第１支持部材と交差する方向に延びている。前記複数の下地板は、前記第２支持部材の上に配設されている。
【００２８】
上記態様に係る床構造では、複数の第２支持部材のそれぞれが第１支持部材と交差する方向に延びており、更にその上に複数の下地板が配設されているので、上階からの荷重が複数の第１支持部材に分散され、剛性確保という観点から優れる。
【００２９】
本発明の別態様に係る床構造は、上記態様において、スペーサを更に備える。前記スペーサは、前記複数の第１支持部材の少なくとも一部と、当該少なくとも一部の第１支持部材に対応する前記第２支持部材と、の間に設けられている。
【００３０】
上記態様に係る床構造では、第１支持部材と第２支持部材との間にスペーサが設けられてなる部分が存在するので、上階の床に段差を設けたり、あるいは段差をなくしたりすることが可能となる。例えば、上階の床面の一部に床暖房用ヒータなどを設けようとする場合には、床面の段差をなくすように、その周囲の領域で第１支持部材と第２支持部材との間にヒータの厚みに相当する厚みのスペーサを設けるようにすればよい。
【００３１】
本発明の別態様に係る床構造は、上記態様において、前記板材と前記下地板との間には、空間が空いている。
【００３２】
上記態様に係る床構造では、板材と下地板との間に空間が空いているので、当該空間を利用して配管や電気配線を行うことができる。よって、人の目に触れない下階と上階との間に配管及び電気配線を行うことができ、意匠性に優れる。
【００３３】
本発明の別態様に係る床構造は、上記態様において、前記複数の面材の下面は、前記下階の天井面として下方に露出している。
【００３４】
上記態様に係る床構造では、面材の下方を覆う天井材を別途設けず、面材の外観（下面の外観）を活かした意匠性に優れた空間形成が可能である。
【００３５】
本発明の一態様に係る木造建築物では、上階と下階とを有する木造建築物であり、前記上階の床構造として、上記の何れかの態様に係る床構造が採用されている。
【００３６】
上記態様に係る木造建築物では、上記の何れかの態様に係る床構造を採用することとしているので、下階から見た場合の優れた意匠性を確保することができるとともに、高い水平剛性を確保することができる。
【発明の効果】
【００３７】
上記の各態様では、下階から見た場合の優れた意匠性を確保することができるとともに、水平剛性の確保が可能である。
【図面の簡単な説明】
【００３８】
【図１】実施形態に係る床構造１を示す模式斜視図である。
【図２】床構造１の一部を示す模式展開斜視図である。
【図３】図１におけるＩＩＩ−ＩＩＩ断面を示す模式断面図である。
【図４】図３におけるＡ部を抜き出して示す模式断面図である。
【図５】図３におけるＢ部を抜き出して示す模式断面図である。
【図６】２階の床構造として床構造１を採用した木造建築物１００の一部構成を示す模式断面図である。
【発明を実施するための形態】
【００３９】
以下では、本発明の実施形態について、図面を参酌しながら説明する。なお、以下で説明の形態は、本発明の一態様であって、本発明は、その本質的な構成を除き何ら以下の形態に限定を受けるものではない。
【００４０】
［実施形態］
１．床構造１
本実施形態に係る床構造１について、図１から図５を用い説明する。
【００４１】
図１に示すように、本実施形態に係る床構造１は、一対の縦床梁１０と、一対の横床梁１１と、複数の面材１２と、複数の板材１３と、を備える。また、床構造１は、２階根太受け部材１４，１５と、複数の２階根太１６と、を備える。
【００４２】
図２に示すように、一対の縦床梁（第１床梁）１０は、それぞれがＸ方向（第１方向）に延び、互いにＹ方向（第１方向と直交する方向）に間隔を空けて並設されている。一対の横床梁（第２床梁）１１は、それぞれがＹ方向に延び、互いにＸ方向（第２方向と直交する方向）に間隔を空けて並設されている。
【００４３】
なお、本実施形態に係る床構造１では、一対の縦床梁１０の上面と、一対の横床梁１１の上面とが、略面一となっている。
【００４４】
複数の面材（図２では、３枚の面材を図示。）１２は、一対の縦床梁１０及び一対の横床梁１１で区画される領域をＺ方向上側から覆設するように配設されている。そして、複数の面材１２は、それぞれがＸ方向に延び、互いにＹ方向に間隔を空けずに並設されている。Ｙ方向において隣り合う面材１２同士は、互いの側辺が当接した状態又は僅かな隙間を空けた状態で並設されている。複数の面材１２は、それぞれが一対の横床梁１１間に架設されている。
【００４５】
板材１３は、それぞれがＸ方向に延び、Ｙ方向に隣接する２枚の面材１２の両縁部近傍をＺ方向上側から覆設するように、一対の横床梁１１間に架設されている。換言すると、板材１３は、隣接する２枚の面材１２同士の間の突合せ境界部ＬＢを跨ぐように配設されている。
【００４６】
複数の面材１２は、それぞれの４辺に沿う縁部が、一対の縦床梁１０及び一対の横床梁１１及び板材１３に対して、ビス又は釘で固定されている（固定箇所ＰＣＬ）。なお、板材１３におけるＸ方向両端においては、ビス又は釘がその下の面材１２を厚み方向に貫通し、横床梁１１まで到達している。
【００４７】
一方、板材１３のＸ方向中間部分においては、ビス又は釘がその下の面材１２を貫通しない長さのビス又は釘が選択されている。
【００４８】
図３等に示すように、複数の面材１２は、その下面がＺ方向下側に露出しており、下階の天井面として設けられている。
【００４９】
図４に示すように、板材１３は、板幅Ｗ１３よりも板厚Ｔ１３が薄い薄板であり、面材１２の板厚Ｔ１２よりも薄い。なお、本実施形態における板材１３は、Ｙ方向において、突合せ境界部ＬＢを境に略対称となるように配設されている。
【００５０】
図１に示すように、２階根太受け部材１４，１５は、それぞれが長尺状部材であって、Ｘ方向に延びている。２階根太受け部材（第１支持部材）１４は、Ｙ方向左側の縦床梁１０の上に配設されている。そして、図３に示すように、２階根太受け部材１４は、縦床梁１０に対して、面材１２及び防振材（弾性部材）１７を間に挟んだ状態で配置されている。このため、図１に示すように、Ｚ方向上方からの平面視において、２階根太受け部材１４は、縦床梁１０と重なる状態となっている。
【００５１】
なお、図３に示すように、２階根太受け部材１４の下には、板材１３が設けられていない。換言すると、２階根太受け部材１４は、面材１２の上における板材１３が載置されていない領域に設けられている。
【００５２】
一方、Ｙ方向右側の２階根太受け部材１５は、２階根太受け部材１４に比べてＹ方向の幅が狭い。２階根太受け部材１５も、面材１２に対して、防振材１７を間に挟んだ状態で配置されている。ただし、２階根太受け部材１５の下方には縦床梁１０は存在せず、横床梁１１間に架設されている。
【００５３】
なお、２階根太受け部材１４，１５は、上階（２階）やその上の屋根などの荷重を支持するための支持部材として設けられている。
【００５４】
図１に戻って、複数の２階根太（第２支持部材）１６は、それぞれがＹ方向に延び、互いにＸ方向に間隔を空けて配設されている。２階根太１６は、２階根太受け部材１４，１５の間に架設されている。詳細な図示を省略するが、２階根太１６は、ビス又は釘により２階根太受け部材１４，１５に固定されている。
【００５５】
図３及び図５に示すように、本実施形態に係る床構造１では、一部の２階根太１６が、２階根太受け部材１４，１５との間にスペーサ１８，１９を挟んで配設されている。スペーサ１８，１９は、２階根太１６の上面１６ａの高さ調整のために挿入されている。本実施形態では、スペーサ１８，１９の挿入により、２階根太１６間に段差Ｇ１６を設けている。
【００５６】
２．木造建築物１００
本実施形態に係る木造建築物１００について、図６を用い説明する。図６は、木造建築物１００の一部構成を示す模式断面図である。
【００５７】
図６に示すように、木造建築物１００は、それぞれがＺ方向に延びる通し柱２０及び管柱２１と、下階である１階の下地板２２及び床板２３と、上階である２階の下地板２４及び床板２５，２６と、２階の床構造として、上述の床構造１を備える。
【００５８】
通し柱２０は、床構造１における縦床梁１０及び横床梁１１、さらには図を省略している屋根を支持している。管柱２１は、床構造１における縦床梁１０及び横床梁１１を支持している。
【００５９】
ここで、２階の床板２６は、床板２５よりもＺ方向の厚みが厚い。これは、床板２６は、床暖房用のヒータが設けられてなるものであるので、ヒータが設けられていない床板２５よりも厚みが厚くなっているものである。
【００６０】
なお、スペーサ１８，１９により２階根太１６の上面の高さ調整が行われているため、床板２５の上面２５ａと床板２６の上面２６ａとが略面一となっている。
【００６１】
図６に示すように、木造建築物１００における１階と２階との間の床構造１において、面材１２及び板材１３と下地板２４との間には、空間ＳＰ１が空けられることになる。この空間ＳＰ１は、配管や電気配線（通信用ケーブルなどを含む。）のためのスペース（ＰＳ・ＥＰＳ）として利用可能となっている。
【００６２】
そして、本実施形態に係る木造建築物１００では、床構造１における面材１２の下面１２ａが、１階の天井面を構成する。このため、１階の床板２３の上面２３ａから面材１２の下面１２ａまでの高さＨ１Ｆが１階の天井高ということになる。
【００６３】
３．効果
本実施形態に係る床構造１では、複数の面材１２のそれぞれが、縦床梁（第１床梁）１０及び板材１３の少なくとも一方と横床梁（第２床梁）１１とに対して、Ｚ方向上方からの平面視で重なる部分で固定されているので、複数の面材１２が床構造１における水平方向にかかる荷重（図２における荷重ＦＨＸ，ＦＨＹ）を支持することが可能である。よって、床構造１では、水平剛性（Ｘ−Ｙ面方向における剛性）を確保することが可能である。
【００６４】
また、本実施形態に係る床構造１では、上述のように、水平剛性を複数の面材１２により確保することができるので、上記従来技術のように狭ピッチで複数の根太を設ける必要がなく、１階（下階）から見た場合の意匠性に優れる。
【００６５】
従って、本実施形態に係る床構造１では、１階から見た場合の優れた意匠性を確保することができるとともに、高い水平剛性を確保することができる。
【００６６】
また、図１及び図３を用い説明したように、本実施形態に係る床構造１では、Ｚ方向上方からの平面視で縦床梁（一方の床梁）１０と重なる状態で２階根太受け部材（第１支持部材）１４を設けているので、２階（上階）からの荷重（図５における荷重ＦＶ）が２階根太受け部材１４を介して剛性の高い縦床梁１０に伝達されることとなり、優れた鉛直剛性の確保が可能である。
【００６７】
また、図３を用い説明したように、本実施形態に係る床構造１では、２階根太受け部材１４及び２階根太受け部材１５を板材１３が配設された領域以外の領域としているので、水平と鉛直の各剛性を異なる領域で確保することができ、総合的に優れた剛性確保が可能である。
【００６８】
本実施形態に係る床構造１では、上述のように、鉛直剛性と水平剛性とを異なる領域で確保するので、面材１２よりも薄い板材１３を用いた場合にあっても、高い水平剛性を確保することが可能である。また、薄い板材１３を用いることにより、配管や電気配線のための空間ＳＰ１をより確保し易い。
【００６９】
また、図３及び図５を用い説明したように、本実施形態に係る床構造１では、２階根太受け部材１４，１５と面材１２との間に防振材（弾性部材）１７を設けているので、２階からの振動が防振材１７で減衰され、１階へ振動が伝わるのが抑制される。
【００７０】
また、図１を用い説明したように、本実施形態に係る床構造１では、複数の２階根太１６（第２支持部材）のそれぞれがＹ方向（２階根太受け部材１４，１５と交差する方向）に延びており、図６に示すように、更にその上に複数の下地板２４が配設されているので、２階からの荷重が複数の２階根太受け部材１４，１５に分散され、剛性確保という観点から優れる。
【００７１】
また、図３及び図５を用い説明したように、本実施形態に係る床構造１では、少なくとも一部の２階根太受け部材（第１支持部材）１４，１５と対応する２階根太（第２支持部材）１６との間にスペーサ１８，１９が設けられてなる部分が存在するので、図６に示すように、２階の床板２５，２６の上面２５ａ，２６ａを略面一とすることが可能となる。よって、本実施形態では、厚みの厚い床板（床暖房用ヒータを含む床板）２６を敷設する場合にあっても、周囲の床板２５の上面２５ａとの間での段差をなくすことが可能である。
【００７２】
また、図６を用い説明したように、本実施形態に係る床構造１では、面材１２及び板材１３と下地板２４との間に空間ＳＰ１が空いているので、当該空間ＳＰ１を利用して配管や電気配線を行うことができる。よって、人の目に触れない１階と２階との間に配管及び電気配線を行うことができ、意匠性という観点から優れる。
【００７３】
図２を用い説明したように、本実施形態に係る床構造１では、面材１２の板厚方向（Ｚ方向）に貫通するビス又は釘により、横床梁（第２床梁）１１に対して板材１３が固定されているので、板材１３と面材１２及び横床梁１１との固定をより強固なものとすることができる。
【００７４】
図６を用い説明したように、本実施形態に係る床構造１では、面材１２の下方を覆う天井材を別途設けず、面材１２の外観（下面１２ａの外観）を活かした意匠性に優れた空間形成が可能である。
【００７５】
なお、本実施形態に係る木造建築物１００では、２階の床構造として、床構造１が採用されているので、１階から見た場合の優れた意匠性を確保することができるとともに、高い水平剛性を確保することができる。
【００７６】
［変形例］
上記実施形態では、複数の面材１２が横床梁１１間に架設されて成る構成を採用したが、本発明は、これに限定を受けるものではない。例えば、複数の面材１２が縦床梁１０間に架設された構成を採用することもできるし、一方端が縦床梁１０、他方端が横床梁１１となるように架設された構成を採用することもできる。
【００７７】
図２などにおいては、面材１２及び板材１３を固定するためのビス又は釘の固定箇所（固定箇所ＰＣＬ）を模式的に図示しており、固定箇所数やピッチなどについては、図示の形態に限定を受けるものではない。より密に固定箇所を設定してもよいし、荷重のかかり方を考慮して、領域ごとに固定箇所ＰＣＬ間のピッチを変更することとしてもよい。
【００７８】
また、上記実施形態では、複数の面材１２のそれぞれが、縦床梁１０と同じＸ方向に延びた形態を採用したが、本発明は、これに限定を受けるものではない。例えば、複数の面材１２のそれぞれが、Ｘ方向及びＹ方向に対して角度を有した斜め方向に延びる形態を採用することも可能である。
【００７９】
上記実施形態では、２階根太受け部材１４，１５がＸ方向に延び、Ｚ方向上方からの平面視で２階根太受け部材１４が縦床梁１０と重なる形態を採用することとしたが、本発明は、これに限定を受けるものではない。例えば、Ｙ方向に延びる２階根太受け部材を採用し、Ｚ方向上方からの平面視で２階根太受け部材が横床梁と重なるように配設することも可能である。
【００８０】
また、上記実施形態では、Ｚ方向上方からの平面視において、２階根太受け部材１４の全体が縦床梁１０と重なる形態を採用することとしたが、本発明は、これに限定を受けるものではない。即ち、Ｚ方向上方からの平面視において、２階根太受け部材の一部が縦床梁と重なる形態とすることも可能である。
【００８１】
上記実施形態では、板材１３がＹ方向に隣接する２枚の面材１２の両縁部を覆うように構成することとしたが、本発明は、これに限定を受けるものではない。例えば、Ｙ方向においてより幅広の板材を採用し、Ｙ方向に並ぶ３枚以上の面材の少なくとも一部の上を覆うように構成することも可能である。
【００８２】
上記実施形態では、２階根太受け部材１４，１５の上に、それぞれがＹ方向に延びる２階根太１６が配設された構成を採用することとしたが、本発明は、これに限定を受けるものではない。例えば、２階根太受け部材１４，１５の上に直に下地板や床板を固定することも可能である（剛床構造）。
【００８３】
上記実施形態では、２階の床板２５，２６の上面２５ａ，２６ａを面一とするために、２階根太受け部材１４，１５と２階根太１６との間にスペーサ１８，１９を設けることとしたが、本発明は、これに限定を受けるものではない。例えば、敢えて２階の床板の一部を周囲の床板に対して段差をつけるためにスペーサを挿入することとしてもよい。
【００８４】
また、上記実施形態では、スペーサ１８とスペーサ１９との厚み差を以って段差をなくするための微調整をすることとしたが、本発明は、これに限定を受けるものではない。例えば、一部にスペーサを挿入し、他にはスペーサを挿入しない構成を採用することも可能である。
【００８５】
なお、本発明では、スペーサ１８，１９は必須の構成要件ではない。
【００８６】
また、上記実施形態では、面材１２と２階根太受け部材１４，１５との間に防振材１７を挿入することとしたが、本発明は、これに限定を受けるものではない。例えば、２階根太受け部材と２階根太との間に弾性部材を挿入して防振材とすることもできるし、上記のスペーサを弾性部材から構成することで防振材としての機能も付与することも可能である。
【００８７】
なお、防振材１７の構成材料については、特に限定を受けるものではないが、例えば、エーテル系の発泡ポリウレタン・エストラマー等を採用することができる。
【００８８】
なお、本発明では、防振材１７は必須の構成要件ではない。
【００８９】
上記実施形態では、図６等を用い説明したように、１階と２階との間の床構造として床構造１を採用することとしたが、本発明は、これに限定を受けるものではない。例えば、２階と３階との間や、地階と１階との間の床構造として採用することも可能である。
【００９０】
上記実施形態では、床構造１の空間ＳＰ１を配管・電気配線のためのスペースＰＳ・ＥＰＳとしたが、本発明は、これに限定を受けるものではない。例えば、断熱材などを敷設するためのスペースとしたり、木造建築物の湿度調整のための通気空間として利用したりすることも可能である。
【００９１】
なお、本発明では、床板２５，２６の少なくとも一部、下地板２４、及び２階根太１６について、着脱自在としておくことが可能である。これは、空間ＳＰ１に配設した配管や電気配線のメンテナンスや、新たな配管や電気配線の配設を可能とするためである。
【符号の説明】
【００９２】
１  床構造
１０  縦床梁（第１床梁）
１１  横床梁（第２床梁）
１２  面材
１３  板材
１４  ２階根太受け部材（第１支持部材）
１６  ２階根太（第２支持部材）
１７  防振材（弾性部材）
１８，１９  スペーサ
２２，２４  下地板
２３，２５  床板
２６  床板（ヒータ付）
【図１】
2019011606.tif 000003
【図２】
2019011606.tif 000004
【図３】
2019011606.tif 000005
【図４】
2019011606.tif 000006
【図５】
2019011606.tif 000007
【図６】
2019011606.tif 000008